(57)【要約】【課題】錠剤や清涼菓子等の粒状品の１粒づつを、あるいは２粒以上の必要数に取り出しの歯止めを掛けて取出口から自重による滑り出しにより自然の形で取り出すことができる粒状品の収容ケースの提供を図る。【解決手段】収容ケース１を軽く振れ動かすことにより、主貯留室１１に収容された粒状品Ｔは１粒づつ整然とガイド通路１２に導出される。ガイド通路１２の先端閉止部に送り込まれた粒状品Ｔは、粒状品搬出手段２１を外方から一方向に押動することにより、副貯留室１３に搬出され、取出口１４からの取り出しが可能となる。【選択図】図４
2011042380.tif 000002
【特許請求の範囲】
【請求項１】
複数の粒状品が収容される主貯留室と、
前記主貯留室に連なって形成され、該主貯留室内の粒状品を１粒づつ導出可能な先端が閉止されたガイド通路と、
前記ガイド通路の先端閉止部分に隣接して設けられた前記粒状品の副貯留室と、
前記ガイド通路の先端閉止部に配設され、外方から一方向に押動されることにより前記ガイド通路の先端閉止部に送り込まれた粒状品を前記副貯留室へ搬出可能な粒状品搬出手段と、
前記副貯留室に設けられた前記粒状品の取出口と、を備えたことを特徴とする粒状品の収容ケース。
【請求項２】
前記粒状品搬出手段は、前記ガイド通路の先端閉止部の前記副貯留室との境となる一方の側壁の一部を構成し、該先端閉止部に送り込まれた粒状品を介して副貯留室に向けて押圧力を受けると弾性変形して、該粒状品の副貯留室へのくぐり抜けを許容する搬出規制片と、
ケース底壁の一側縁に複数の薄肉のヒンジ部を起点に屈伸可能な連設片を介して連設された板状体で構成されて、前記ガイド通路の先端閉止部に送り込まれた粒状品を前記搬出規制片に向けて押圧可能な粒状品送り出し部材と、を備えたことを特徴とする請求項１に記載の粒状品の収容ケース。
【請求項３】
前記粒状品送り出し部材は、前記板状体の前記連設片との境のヒンジ部に隣設されてケース外に露出する押動操作部と、
前記板状体の先端部に設けられ、前記搬出規制片と対向した位置で前記ガイド通路の他側の側壁の一部を構成する前記粒状品の押圧コマ片と、を備え、
前記板状体が、前記押動操作部を押圧操作することによって、前記連接片の屈伸作用によりケース底壁に沿って移動可能とされていることを特徴とする請求項２に記載の粒状品の収容ケース。
【請求項４】
前記押圧コマ片は、前記ガイド通路の先端閉止部に送り込まれた粒状品を前記搬出規制片に向けて押圧する進出位置で、前記ガイド通路を遮断して後続の粒状品の前記先端閉止部側への移動を規制するストッパー片を備えていることを特徴とする請求項３に記載の粒状品の収容ケース。
【請求項５】
前記粒状品送り出し部材を、前記押圧コマ片が前記ガイド通路の前記他側の側壁と略面一に整合する位置に復位させる板ばね片を備えていることを特徴とする請求項３または４に記載の粒状品の収容ケース。
【請求項６】
前記粒状品送り出し部材の浮き上がりを抑制してこれを移動ガイドするガイド部材を備えていることを特徴とする請求項３〜５の何れか１つに記載の粒状品の収容ケース。
【請求項７】
少くとも前記ガイド通路が、粒状品をその厚み方向を横向きにして通過規制し得る深さに設定されていることを特徴とする請求項１〜６の何れか１つに記載の粒状品の収容ケース。
【発明の詳細な説明】
【技術分野】
【０００１】
本発明は、錠剤や清涼菓子等の粒状品の収容ケースに関する。
【背景技術】
【０００２】
従来、錠剤等の粒状品の収容ケースとして、例えば特許文献１に示されているように、蓋を開けると同時に発射板により錠剤を１粒づつ外部へ弾き出すようにしたものや、特許文献２に示されているように、ドーム状の弾性押圧板を押圧することにより、ケース内で錠剤を挟圧保持した可動底板の挟圧力を解除して、該錠剤の取出しを可能としたものなどが知られている。
【先行技術文献】
【特許文献】
【０００３】
【特許文献１】特開２００７−２３８１７６
【特許文献２】実開平５−５８６７６
【発明の概要】
【発明が解決しようとする課題】
【０００４】
前記特許文献１に示された収容ケースでは、蓋を閉めることにより前記発射板が弾性変形して蓄勢され、この蓋をスライドして開けることにより発射板の拘束が解除されて、該発射板上に載った錠剤が外部へ弾き出される構成とされているため、蓋を開けた途端に錠剤が飛び出す弾き出し挙動で使用者が錠剤を捕捉し損なう可能性がある。
【０００５】
また、前記特許文献２に示された収容ケースでは、弾性押圧板を押圧して可動底板の錠剤挟圧力を解除すると、ケース内の全ての錠剤の挟圧拘束が解除されてしまうため、取出口から錠剤が次々に吐出されて歯止めが利かず、必要数に絞った錠剤の取り出しには不向きとなってしまう。
【０００６】
そこで、本発明は錠剤や清涼菓子等の粒状品の１粒づつを、あるいは２粒以上の必要数に取り出しの歯止めを掛けて取出口から自重による滑り出しにより自然の形で取り出すことができて、使用性を高めることができる粒状品の収容ケースを提供するものである。
【課題を解決するための手段】
【０００７】
本発明の粒状品の収容ケースは、複数の粒状品が収容される主貯留室と、前記主貯留室に連なって形成され、該主貯留室内の粒状品を１粒づつ導出可能な先端が閉止されたガイド通路と、前記ガイド通路の先端閉止部に隣接して設けられた前記粒状品の副貯留室と、前記ガイド通路の先端閉止部に配設され、外方から一方向に押動されることにより前記ガイド通路の先端閉止部に送り込まれた粒状品を前記副貯留室へ搬出可能な粒状品搬出手段と、前記副貯留室に設けられた前記粒状品の取出口と、を備えたことを主要な特徴としている。
【０００８】
前記収容ケースを軽く振れ動かすことにより、前記主貯留室に収容された粒状品は１粒づつ整然と前記ガイド通路に導出される。
【０００９】
前記ガイド通路の先端閉止部に送り込まれた粒状品は、前記粒状品搬出手段を外方から一方向に押動することにより、該粒状品搬出手段により前記副貯留室に搬出され、取出口からの取り出しが可能とされる。
【発明の効果】
【００１０】
本発明によれば、主貯留室内の粒状品はガイド通路によりその先端閉止部に１粒づつ整然と導出され、粒状品搬出手段を外方から押動操作を行う都度、前記ガイド通路の先端閉止部から１粒づつ副貯留室へ搬出される。
【００１１】
従って、前記ガイド通路の先端閉止部への粒状品の導出操作と、粒状品搬出手段の押動操作とを行う度に、一旦、粒状品を副貯留室に搬出して取出口から自重による滑り出しにより自然の形で１粒づつ外部に取り出すことができることは勿論、前記粒状品の導出操作と粒状品搬出手段の押動操作との一連の動作をカウントして、必要数の粒状品を一旦副貯留室に１粒づつ搬出してまとめ置きし、これを前述と同様に自重による滑り出しにより自然の形で取出口から外部へ取り出すことができて、使用性を一段と高めることができる。
【図面の簡単な説明】
【００１２】
【図１】本発明に係る収容ケースの第１実施形態を示す外観斜視図。
【図２】図１に示した収容ケースを開蓋して粒状品送り出し部材を展開した状態を示す斜視図。
【図３】図２に示した粒状品送り出し部材を組立てた状態を示す斜視図。
【図４】粒状品送り出し部材による粒状品の搬出途上を示す斜視図。
【図５】本発明の異なる例を示す斜視図。
【発明を実施するための形態】
【００１３】
以下、本発明の実施形態を図面と共に詳述する。
【００１４】
図１〜図４に示す第１実施形態の収容ケース１は、小円形に形成された錠剤または清涼菓子等の粒状品Ｔを収容するケースとして用いられる。
【００１５】
この収容ケース１は、全体が適宜の硬質合成樹脂材をもって型成形され、所要深さの長方形状に形成された上方が開放したケース本体２と、該ケース本体２の長手方向一側の上縁に薄肉のヒンジ部４を介して開閉可能に一体に連設された板状のリッド３と、を備えている。
【００１６】
前記リッド３は、ケース本体２の投影平面と同一の長方形状に形成されていて、該ケース本体２の上方開放縁上に当接，整合した状態で該ケース本体２の上方開放部を密閉するように構成されている。
【００１７】
このリッド３の裏面の周縁部近傍と、これに対応するケース本体２の内周縁部とには、相互に凹凸係合する係止部５が設けられ、常態にあっては前記密閉状態を維持し、粒状品Ｔの補充時等にはこの係止部５を外して開蓋できるように構成されている。
【００１８】
また、リッド３の自由端側の一側には切欠窓６が形成され、該切欠窓６から後述する粒状品送り出し部材２３の押動操作部３１が収容ケース１外に露出可能とされている。
【００１９】
更に、該リッド３の他側の自由端に近接した位置に、後述する取出口１４を開閉する小リッド１５の自由端を受容する切欠部７が形成されていると共に、該切欠部７の上面側縁部には小リッド１５の自由端の係止爪１５ａが係脱可能な係止溝７ａが形成されている。
【００２０】
一方、前記ケース本体２には、その長手方向の前記リッド３を連設した側の略半部に数数の粒状品Ｔを収容する主貯留室１１が隔成されている。
【００２１】
このケース本体２の他側の半部側には、前記主貯留室１１に連なる粒状品Ｔのガイド通路１２が隔成されている。
【００２２】
前記ガイド通路１２は先端が閉止されて粒状品Ｔがこの先端閉止部で行き止まるように袋小路に構成されている。
【００２３】
また、ガイド通路１２は粒状品Ｔの厚みよりも若干幅広の通路幅に形成されていて、粒状品Ｔが縦置きの状態で１粒づつが前記先端閉止部分に向けて転動して導出されるように構成されている。
【００２４】
更に、前記主貯留室１１とガイド通路１２との連設部分は漸次ガイド通路１２の幅に絞られるテーパ状に形成されて、主貯留室１１からガイド通路１２へ粒状品Ｔが１粒づつ導出され易いように構成されている。
【００２５】
前記ガイド通路１２の先端閉止部に隣接して、所要数の粒状品Ｔを収容可能な副貯留室１３が設けられ、後述する粒状品搬出手段２１により前記ガイド通路１２の先端閉止部から搬出される粒状品Ｔを、一旦、該副貯留室１３に貯留するように構成されている。
【００２６】
また、この副貯留室１３を隔成するケース本体２の側壁の一部、例えばケース本体２の一方の長側辺の端部近傍には、該副貯留室１３に搬出された粒状品Ｔを収容ケース１外に取り出すための取出口１４が切欠形成されている。
【００２７】
この取出口１４の下縁には薄肉のヒンジ部１６を介して小リッド１５が連設されていて、常態にあっては該小リッド１５により取出口１４が密閉可能とされている。小リッド１５の自由端には、前記リッド３の切欠部７の上面側縁部に形成した係止溝７ａに係脱可能な係止爪１５ａが形成されている。
【００２８】
そして、前記ガイド通路１２の先端閉止部に、外方から一方向に押動されることにより、該ガイド通路１２の先端閉止部に送り込まれた粒状品Ｔを、１粒づつ前記副貯留室１３へ搬出可能な粒状品搬出手段２１が設けられている。
【００２９】
前記粒状品搬出手段２１は、前記ガイド通路１２の先端閉止部の前記副貯留室１３との境となる一方の側壁の一部を構成し、該先端閉止部に送り込まれた粒状品Ｔを介して副貯留室１１に向けて押圧力を受けると弾性変形して、該粒状品Ｔの副貯留室１３へのくぐり抜けを許容する搬出規制片２２と、前記ガイド通路１２の先端閉止部に送り込まれた粒状品Ｔを前記搬出規制片２２に向けて押圧可能な粒状品送り出し部材２３と、を備えている。
【００３０】
前記ケース本体２の前記取出口１４を形成した側と反対側の長側辺の側壁には、前記ガイド通路１２の先端閉止部分に対応した位置に切欠部８が形成されている。
【００３１】
本実施形態では前記粒状品送り出し部材２３が、この切欠部８の部分でケース本体２に一体に連設された短冊状の板状体２４で構成されている。
【００３２】
この板状体２４は、前記切欠部８でケース本体２の底壁に連接片２５を介して連設されている。
【００３３】
連接片２５は、２条の薄肉のヒンジ部２６，２７を節としてケース本体２の内，外方向に弾性的に屈伸可能とされている。
【００３４】
この連接片２５は、ケース本体２の側壁高さにほぼ相当する幅に設定されていて、前記切欠窓６と切欠部８の形成部分で収容ケース１の側壁の一部が構成されるようにしている。
【００３５】
一方、前記板状体２４は、前記連接片２５の上部側のヒンジ部２７に隣接して設けられて前記切欠窓６から収容ケース１外に露出する逆Ｌ字状の押動操作部３１と、該押動操作部３１の端末から略直角に延設されてケース本体２の底壁内面に沿って摺動可能な平板部３２と、該平板部３２の先端部に略直角に立設されて、前記搬出規制片２２と対向した位置で前記ガイド通路１２の他側の側壁の一部を構成する押圧コマ片３３とを備えている。
【００３６】
即ち、この板状体２４は、前記押動操作部３１を前記切欠窓６でリッド３の幅方向中央側に向けて押動し、もしくは連接片２５を内側に押動することにより、前記連接片２５が収容ケース１の内側に倒れ込むようにして屈伸作動することで前記平板部３２がケース本体２の底壁内面に沿って送り出し方向に摺動し、前記押圧コマ片３３で前記ガイド通路１２の先端閉止部分に送り込まれた粒状品Ｔを前記搬出規制片２２に向けて押圧するように構成されている。
【００３７】
前記押圧コマ片３３は、前記粒状品Ｔの押圧時に粒状品Ｔがガイド通路１２内を逆戻り方向に滑り移動することがないように、ガイド通路１２の先端側となる端部が該ガイド通路１２の外側へ若干開く勾配を持って形成することが望ましい。
【００３８】
また、この押圧コマ片３３は、前記ガイド通路１２の先端閉止部に送り込まれた粒状品を前記搬出規制片２２に向けて押圧する進出位置で、前記ガイド通路１２を遮断して後続の粒状品Ｔの前記先端閉止部側への移動を規制するストッパー片３４を一体に備えている。
【００３９】
更に、前記ケース本体２には、自由端が前記逆Ｌ字状の押動操作部３１の立上がり部に当接して、前記押圧コマ片３３が前記ガイド通路１２の前記他側の側壁と略面一に整合する位置に復位させる板ばね片３５が設けられている。
【００４０】
本実施形態ではこの板ばね片３５および前記搬出規制片２２を、ケース本体２の底壁にそれらの自由端側が底壁内面から離間した状態に一体に型成形することによって、所要の板ばね力が発揮されるようにしている。
【００４１】
また、このケース本体２の底壁内面には、前記板状体２４の平板部３２の一側縁部に係止して、粒状品送り出し部材２３の浮き上がりを抑制してこれを移動ガイドする複数個のガイド部材３６が一体成形されている。
【００４２】
本実施形態では、前記板ばね片３５をその自由端末が前記平板部３２の他側縁部に係止して、前記ガイド部材３６と同様の機能が得られるようにしている。
【００４３】
以上の実施形態の構成により、前記収容ケース１を軽く振れ動かすことにより、前記主貯留室１１に収容された粒状品Ｔは縦向きのものはそのまま前記ガイド通路１２に導かれ、横向きに寝た状態のものはガイド通路１２の入口部分で縦向きに向きが変えられて該ガイド通路１２に導かれ、図３に示すように粒状品Ｔの１粒づつがガイド通路１２の先端閉止部に向けて整然と導出される。
【００４４】
このガイド通路１２の先端閉止部に導出された粒状品Ｔは、前記粒状品搬出手段２１の１つの構成部材である粒状品送り出し部材２３を外方から一方向に押動することにより、具体的には前記押動操作部３１を前記切欠窓６でリッド３の幅方向中央側に向けて押動し、もしくは前記連接片２５を内側に押動することにより、該連接片２５が収容ケース１の内側に倒れ込むようにして屈伸作動し、これにより前記平板部３２がケース本体２の底壁内面に沿って送り出し方向に摺動してその先端の押圧コマ片３３で前記粒状品Ｔを、粒状品搬出手段２１の他の構成部材である前記搬出規制片２２に向けて押圧する。
【００４５】
前述のように搬出規制片２２が粒状品Ｔを介して該粒状品Ｔの搬出方向に押圧力を受けると、該搬出規制片２２が図４に示すようにこの搬出方向に弾性変形して前記粒状品Ｔのくぐり抜けを許容し、該粒状品Ｔが副貯留室１３に搬出される。
【００４６】
この副貯留室１３に搬出された粒状品Ｔの取り出しに際しては、前記取出口１４の小リッド１５の自由端を指の爪先きで係止爪１５ａと係止溝７ａとの係合が外れる方向に弾いて該小リッド１５を開けば、前記粒状品Ｔは自重により自然の形で取出口１４から収容ケース１外への滑り出しが可能であるので、これを簡単に取り出すことができる。
【００４７】
前記取出口１４の小リッド１５と、粒状品送り出し部材２３の押動操作部３１およびこれに連設した連接片２５は、収容ケース１の長さ方向片側で該収容ケース１の幅方向両側部に略対向配置されているので、使用者は収容ケース１を持ったまま片手で押動操作部３１もしくは連接片２５の押動操作と、小リッド１５の開蓋操作とを行って、粒状品Ｔの取り出しを簡単に行うことができる。
【００４８】
以上の構成からなる本実施形態の構造によれば、主貯留室１１内の粒状品Ｔはガイド通路１２によりその先端閉止部に１粒づつ整然と導出され、粒状品搬出手段２１を外方から押動操作を行う都度、前記ガイド通路１２の先端閉止部分から１粒づつ副貯留室１３へ搬出されるから、前記ガイド通路１２の先端閉止部への粒状品Ｔの導出操作と、粒状品搬出手段２１の押動操作とを行う度に、一旦、粒状品Ｔを副貯留室１３に搬出して取出口１４から自重による滑り出しにより自然の形で１粒づつ外部に取り出すことができる。
【００４９】
また、前述の粒状品Ｔの導出操作と粒状品搬出手段２１の押動操作との一連の動作をカウントして、必要数の粒状品Ｔを一旦副貯留室１３に１粒づつ搬出してまとめ置きし、これを前述と同様に自重による滑り出しにより自然の形で取出口１４から外部へ取り出すことができて、使用性を一段と高めることができる。
【００５０】
特に、本実施形態では前記粒状品搬出手段２１をガイド通路１２の一方の側壁の一部を構成する弾性変形可能な粒状品Ｔの搬出規制片２２と、ケース底壁に連設された板状体２４で構成される粒状品送り出し部材２３と、で構成するようにしているので、この粒状品送り出し部材２３を板状に展開した状態で、前記搬出規制片２２と共にケース本体２と一体に型成形することができてコスト的に有利に得ることができる。
【００５１】
しかも、前記板状体２４は収容ケース１外に露出する押動操作部３１と、前記ガイド通路１２の他方の側壁の一部を構成して粒状品Ｔの前記搬出規制片２２へ向けての押圧が可能な押圧コマ片３３とを備えていて、屈伸可能な連設片２５を介して前記ケース底壁に一体に連設してあるので、この連設片２５の屈伸作用により板状体２４をケース底壁に沿って平行移動することができて、前記押圧コマ片２３による粒状品Ｔの送り出し、即ち、副貯留室１３への搬出をスムーズに行わせることができる。
【００５２】
また、前記押圧コマ片３３は、ガイド通路１２への進出位置（粒状品Ｔの送り出し位置）で、該ガイド通路１２を遮断して後続の粒状品Ｔの先端閉止部側への移動を規制するストッパー片３４を備えているので、前記ガイド通路１２の閉止端部への粒状品Ｔの１粒づつの送り込みを確実に行えて、粒状品Ｔの噛み込み等による搬出動作不良を回避することができる。
【００５３】
更に、前記粒状品Ｔの搬出後は、粒状品送り出し部材２３が板ばね片３５により前記押圧コマ片３３がガイド通路１２の側壁と略面一に整合する位置に復位されるので、前記搬出動作不良をより確実に防止することができる。
【００５４】
また、この粒状品送り出し部材２３は、ガイド部材３６により浮き上がりが抑制されているので、前記粒状品Ｔの搬出動作をより一層スムーズに行わせることができる。
【００５５】
図５は前記第１実施形態の変形例を示すもので、この変形例では前記主貯留室１１，ガイド通路１２，副貯留室１３を含めて、ケース本体２全体の成形深さを、粒状品Ｔの厚みよりもやや大きな寸法設定として、粒状品Ｔの収容形態が横向きとなるようにしたものである。
【００５６】
このように粒状品Ｔの収容形態を横向きとすることにより、粒状品Ｔの主貯留室１１からガイド通路１２への導出をスムーズに行えて、粒状品Ｔのガイド通路１２の入口部分での目詰まりを生じにくくすることができる。
【００５７】
この成形深さの設定は、主貯留室１１とガイド通路１２の部分のみでもよいし、または、ガイド通路１２の部分のみでも、粒状品目詰まり防止の効果を得ることができる。
【００５８】
なお、前記実施形態では、ケース本体２とリッド３とを一体に連設した例を開示したが、これらは別体成形であってもよい。
【符号の説明】
【００５９】
１…収容ケース
２…ケース本体
３…リッド
Ｔ…粒状品
１１…主貯留室
１２…ガイド通路
１３…副貯留室
１４…取出口
２１…粒状品搬出手段
２２…搬出規制片
２３…粒状品送り出し部材
２４…板状体
２５…連接片
２６，２７…連設片のヒンジ部
３１…押動操作部
３２…平板部
３３…押圧コマ片
３４…ストッパー片
３５…板ばね片
３６…ガイド部材
【図１】
2011042380.tif 000003
【図２】
2011042380.tif 000004
【図３】
2011042380.tif 000005
【図４】
2011042380.tif 000006
【図５】
2011042380.tif 000007
【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
複数の粒状品が収容される主貯留室と、
前記主貯留室に連なって形成され、該主貯留室内の粒状品を１粒づつ導出可能な先端が閉止されたガイド通路と、
前記ガイド通路の先端閉止部分に隣接して設けられた前記粒状品の副貯留室と、
前記ガイド通路の先端閉止部に配設され、外方から一方向に押動されることにより前記ガイド通路の先端閉止部に送り込まれた粒状品を前記副貯留室へ搬出可能な粒状品搬出手段と、
前記副貯留室に設けられた前記粒状品の取出口と、を備えた構成であって、
前記粒状品搬出手段は、前記ガイド通路の先端閉止部の前記副貯留室との境となる一方の側壁の一部を構成し、該先端閉止部に送り込まれた粒状品を介して副貯留室に向けて押圧力を受けると弾性変形して、該粒状品の副貯留室へのくぐり抜けを許容する搬出規制片と、
ケース底壁の一側縁に複数の薄肉ヒンジ部を起点に屈伸可能な連設片を介して連設された板状体で構成されて、前記ガイド通路の先端閉止部に送り込まれた粒状品を前記搬出規制片に向けて押圧可能な粒状品送り出し部材と、で構成され、
前記粒状品送り出し部材は、前記板状体の前記連設片との境のヒンジ部に隣接されてケース外に露出する押動操作部と、
前記板状体の先端部に設けられ、前記搬出規制片と対向した位置で前記ガイド通路の他側の側壁の一部を構成する前記粒状品の押圧コマ片と、を備えていて、
前記板状体が、前記押動操作部を押圧操作することによって、前記連設片の屈伸作用によりケース底壁に沿って移動可能とされていることを特徴とする粒状品の収容ケース。
【請求項２】
前記押圧コマ片は、前記ガイド通路の先端閉止部に送り込まれた粒状品を前記搬出規制片に向けて押圧する進出位置で、前記ガイド通路を遮断して後続の粒状品の前記先端閉止部側への移動を規制するストッパー片を備えていることを特徴とする請求項１に記載の粒状品の収容ケース。
【請求項３】
前記粒状品送り出し部材を、前記押圧コマ片が前記ガイド通路の前記他側の側壁と略面一に整合する位置に復位させる板ばね片を備えていることを特徴とする請求項１または２に記載の粒状品の収容ケース。
【請求項４】
前記粒状品送り出し部材の浮き上がりを抑制してこれを移動ガイドするガイド部材を備えていることを特徴とする請求項１〜３の何れか１つに記載の粒状品の収容ケース。
【請求項５】
少くとも前記ガイド通路が、粒状品をその厚み方向を横向きにして通過規制し得る深さに設定されていることを特徴とする請求項１〜４の何れか１つに記載の粒状品の収容ケース。
【手続補正２】
【補正対象書類名】明細書
【補正対象項目名】０００７
【補正方法】変更
【補正の内容】
【０００７】
本発明の粒状品の収容ケースは、複数の粒状品が収容される主貯留室と、前記主貯留室に連なって形成され、該主貯留室内の粒状品を１粒づつ導出可能な先端が閉止されたガイド通路と、前記ガイド通路の先端閉止部に隣接して設けられた前記粒状品の副貯留室と、前記ガイド通路の先端閉止部に配設され、外方から一方向に押動されることにより前記ガイド通路の先端閉止部に送り込まれた粒状品を前記副貯留室へ搬出可能な粒状品搬出手段と、前記副貯留室に設けられた前記粒状品の取出口と、を備えた構成であって、前記粒状品搬出手段は、前記ガイド通路の先端閉止部の前記副貯留室との境となる一方の側壁の一部を構成し、該先端閉止部に送り込まれた粒状品を介して副貯留室に向けて押圧力を受けると弾性変形して、該粒状品の副貯留室へのくぐり抜けを許容する搬出規制片と、ケース底壁の一側縁に複数の薄肉ヒンジ部を起点に屈伸可能な連設片を介して連設された板状体で構成されて、前記ガイド通路の先端閉止部に送り込まれた粒状品を前記搬出規制片に向けて押圧可能な粒状品送り出し部材と、で構成され、前記粒状品送り出し部材は、前記板状体の前記連設片との境のヒンジ部に隣接されてケース外に露出する押動操作部と、前記板状体の先端部に設けられ、前記搬出規制片と対向した位置で前記ガイド通路の他側の側壁の一部を構成する前記粒状品の押圧コマ片と、を備えていて、前記板状体が、前記押動操作部を押圧操作することによって、前記連設片の屈伸作用によりケース底壁に沿って移動可能とされていることを主要な特徴としている。